(57)【要約】      （修正有）【課題】送風の効率をより高くしつつ、騒音をより小さくするターボ遠心ファンを提供する。【解決手段】ブレード２２のそれぞれに、ブレード２２の周側の部位に対してブレード２２の回転軸側の部位であり、円形の底面において周から回転軸に向かう方向の所定の位置である屈曲交点Ｐｃから、回転軸側の端部が回転方向とは逆方向に位置するように所定の角度で屈曲させられている屈曲部３２を設ける。屈曲部３２の高さは、屈曲位置から回転軸側に向かうに従い、複数の曲線が接続されるように段階的に低くなるようにする。【選択図】図８
0003193556.tif 000002
【実用新案登録請求の範囲】
【請求項１】
外縁が所定の高さの略円柱形状に形成され、円形の底面の中心である回転軸と周上の１点とを結ぶ輻に対して前記回転軸側から周に向かうに従い回転方向とは逆方向に曲がるブレードを複数備えるターボ遠心ファンにおいて、
前記ブレードのそれぞれに、前記ブレードの周側の部位に対して前記ブレードの回転軸側の部位であり、前記円形の底面において周から回転軸に向かう方向の所定の位置である屈曲位置から、前記回転軸側の端部が回転方向とは逆方向に位置するように所定の角度で屈曲させられている部位である屈曲部を設け、
前記屈曲部の高さは、前記屈曲位置から回転軸側に向かうに従い、複数の曲線が接続されるように段階的に低くなる
ターボ遠心ファン。
【請求項２】
請求項１に記載のターボ遠心ファンにおいて、
前記屈曲部は、５度乃至２５度のうちいずれかの角度で屈曲させられている
ターボ遠心ファン。
【請求項３】
請求項１に記載のターボ遠心ファンにおいて、
前記屈曲部の高さは、前記曲線である２つの円弧が接続されるように２段階に低くなり、
前記円弧が滑らかに接続されている
ターボ遠心ファン。
【請求項４】
請求項３に記載のターボ遠心ファンにおいて、
前記回転軸側の円弧の曲率が、前記周側の円弧の曲率に比較して大きい
ターボ遠心ファン。
【請求項５】
請求項１に記載のターボ遠心ファンにおいて、
前記屈曲位置が、送風機のケースの吸入口の端部より回転軸側に配置されている
ターボ遠心ファン。
【考案の詳細な説明】
【技術分野】
【０００１】
本考案はターボ遠心ファンに関し、特に、送風の効率をより高くしつつ、騒音をより小さくしたターボ遠心ファンに関する。
【背景技術】
【０００２】
送風のためのファンの一種である遠心ファンとして、ターボファン（以下、ターボ遠心ファンと称する。）が用いられている。図１は、従来のターボファン１０１の構成を示す図である。ターボファン１０１には、回転方向Rに対して後向きのブレード１０２が設けられている。
【０００３】
図２は、ターボファン１０１における空気流を示す平面図である。図２において点線の矢印は、空気流を示す。図２に示されるように、ブレード１０２の間の流路における圧力の分布および流路の曲がりの影響により、空気流がブレード１０２のプレッシャー側の面（回転方向側の面）に偏る。また、ブレード１０２の面のうち、プレッシャー側の面とは反対側の面である負圧面（回転方向側の面の裏面）の外周端部の近傍において、負圧面から空気流の剥離が生じ、ブレード１０２の間の流路において、逆流が生じる。
【０００４】
図３は、ターボファン１０１における空気流を示す側断面図である。図３において点線の矢印は、空気流を示す。図３に示されるように、吸入口から吸入された空気流は、ブレード１０２の回転に伴う遠心力により、ターボファン１０１の高さ方向（図３中の縦方向）から半径方向（図３中の横方向）に曲げられる。このとき、ブレード１０２の内周側の端部に渦流が発生する。
【０００５】
従来、電動機と、該電動機に設けられたファン本体と、該ファン本体に設けられた羽根と、を有する電動工具において、該ファン本体に空気が流入する入り口に、該羽根が径方向の内側から外側に向かうに従い該羽根の回転方向とは逆の方向に延び、該羽根と該ファン本体の中心から該羽根まで伸びる線分とのなす羽根角度が最大となる部分があることを特徴とする電動工具が提案されている（例えば、特許文献１参照）。
【先行技術文献】
【特許文献】
【０００６】
【特許文献１】特開２００９−５６５６４号公報
【考案の概要】
【考案が解決しようとする課題】
【０００７】
しかしながら、ブレード１０２の間の流路における圧力の分布および流路の曲がりの影響並びに吸入口から吸入された空気流が、ブレード１０２の回転に伴う遠心力により、ターボファン１０１の高さ方向から半径方向に曲げられることによる、逆流および渦流により空気流に損失が生じて、送風音が増大し、送風効率も低下してしまう。
【０００８】
特許文献１に記載の電動工具では、ファン本体に空気が流入する入り口で剥離流れが発生するのを防ぎ、風路において、剥離渦が発生することを防ぐことができ、騒音の発生を防止することができるが、送風効率が低下してしまう。
【０００９】
本考案は、このような状況に鑑みてなされたものであり、送風の効率をより高くしつつ、騒音をより小さくできるようにするものである。
【課題を解決するための手段】
【００１０】
本考案の一側面は、外縁が所定の高さの略円柱形状に形成され、円形の底面の中心である回転軸と周上の１点とを結ぶ輻に対して回転軸側から周に向かうに従い回転方向とは逆方向に曲がるブレードを複数備えるターボ遠心ファンであって、ブレードのそれぞれに、ブレードの周側の部位に対してブレードの回転軸側の部位であり、円形の底面において周から回転軸に向かう方向の所定の位置である屈曲位置から、回転軸側の端部が回転方向とは逆方向に位置するように所定の角度で屈曲させられている部位である屈曲部を設け、屈曲部の高さは、屈曲位置から回転軸側に向かうに従い、複数の曲線が接続されるように段階的に低くなるターボ遠心ファンである。
【００１１】
本考案の一側面においては、ブレードのそれぞれに、屈曲位置から回転軸側の端部が回転方向とは逆方向に位置するように所定の角度で屈曲させられている部位である屈曲部を設けたので、ブレード間の空気流の方向をブレード面と一致するように誘導することができ、空気流の圧力の片寄りを低減することで、逆流の発生を抑制することができると共に、屈曲部の高さが、屈曲位置から回転軸側に向かうに従い、複数の曲線が接続されるように段階的に低くなるようにしたので、吸い込まれた空気を徐々にかつ段階的にブレード間に流入させるので、ブレードの内周側の高さ方向の圧力分布が均一になり、渦流の発生を抑制することができる。従って、送風の効率をより高くしつつ、騒音をより小さくできるようになる。
【００１２】
屈曲部を、５度乃至２５度のうちいずれかの角度で屈曲させることができる。この場合、騒音をより小さくできるようになる。
【００１３】
また、屈曲部の高さを、曲線である２つの円弧が接続されるように２段階に低くし、円弧を滑らかに接続することができる。このようにすることで、吸い込まれた空気を徐々にかつ段階的にブレード間に流入させるので、ブレードの内周側の高さ方向の圧力分布が均一になり、渦流の発生を抑制することができ、送風の効率をより高くしつつ、騒音をより小さくできるようになる。
【００１４】
回転軸側の円弧の曲率を、周側の円弧の曲率に比較して大きくすることができる。この場合、曲げられる空気流の曲がりの頂点付近の圧力分布がより均一になり、送風の効率をより高くしつつ、騒音をより小さくできるようになる。
【００１５】
屈曲位置を、送風機のケースの吸入口の端部より回転軸側に配置することができる。このようにすることで、ケースとターボ遠心ファンとの隙間が大きくても、ケースとターボ遠心ファンとの間に空気流の乱れが発生しにくい。従って、ターボ遠心ファンの加工の精度の管理が容易になり、より安価に製造することができるようになる。すなわち、より安価に製造でき、かつ、送風の効率をより高くしつつ、騒音をより小さくできるようになる。
【考案の効果】
【００１６】
以上のように、本考案の一側面によれば、送風の効率をより高くしつつ、騒音をより小さくできる。
【図面の簡単な説明】
【００１７】
【図１】従来のターボファン１０１の構成を示す図である。
【図２】ターボファン１０１における空気流を示す平面図である。
【図３】ターボファン１０１における空気流を示す側断面図である。
【図４】送風機１の構成の一例を示す斜視図である。
【図５】送風機１の正面右側断面図である。
【図６】ターボ遠心ファン１１の平面図である。
【図７】ブレード２２を拡大して示す拡大平面図である。
【図８】ターボ遠心ファン１１の斜視図である。
【図９】空気流を示すターボ遠心ファン１１の平面図である。
【図１０】空気流を示す送風機１の正面断面図である。
【図１１】屈曲角αに対する騒音の大きさを示す図である。
【図１２】回転速度に対する騒音の大きさを示す図である。
【考案を実施するための形態】
【００１８】
以下に本考案の実施の形態を説明するが、本考案の構成要件と、考案の詳細な説明に記載の実施の形態との対応関係を例示すると、次のようになる。この記載は、本考案をサポートする実施の形態が、考案の詳細な説明に記載されていることを確認するためのものである。従って、考案の詳細な説明中には記載されているが、本考案の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１９】
本考案の一側面は、外縁が所定の高さの略円柱形状に形成され、円形の底面の中心である回転軸と周上の１点とを結ぶ輻に対して回転軸側から周に向かうに従い回転方向とは逆方向に曲がるブレード（例えば、図５のブレード２２）を複数備えるターボ遠心ファン（例えば、図５のターボ遠心ファン１１）であって、ブレードのそれぞれに、ブレードの周側の部位（例えば、図５の後向き羽根部３１）に対してブレードの回転軸側の部位であり、円形の底面において周から回転軸に向かう方向の所定の位置である屈曲位置（例えば、図５の屈曲交点Ｐｃ）から、回転軸側の端部が回転方向とは逆方向に位置するように所定の角度で屈曲させられている部位である屈曲部（例えば、図５の屈曲部３２）を設け、屈曲部の高さは、屈曲位置から回転軸側に向かうに従い、複数の曲線が接続されるように段階的に低くなるターボ遠心ファンである。
【００２０】
以下、本考案の一実施の形態のターボ遠心ファンを図４乃至図１２を参照して説明する。図４は、ターボ遠心ファン１１を用いた送風機１の構成の一例を示す斜視図である。
【００２１】
なお、送風機１に対して前後の方向をＹ軸で図示し、上下の方向をＺ軸で図示し、左右の方向をＸ軸で図示する。また、以下、Ｘ軸方向のうち、図４中の左側を単に左側と称し、Ｘ軸方向のうち、図４中の右側を単に右側と称する。さらに、以下、Ｙ軸方向のうち、図４中の手前側を単に前側と称し、Ｙ軸方向のうち、図４中の奥側を単に後側と称する。さらにまた、以下、Ｚ軸方向のうち、図４中の上側を単に上側と称し、Ｚ軸方向のうち、図４中の下側を単に下側と称する。なお、以下、左右の方向および前後方向の位置を、単に横とも称する。また、以下、Ｚ軸方向の位置を単に高さとも称する。
【００２２】
送風機１は、空気を吸入して、排出し、送風する。送風機１には、回転することで送風する羽根車であるターボ遠心ファン１１が設けられている。なお、以下、Ｚ軸をターボ遠心ファン１１の回転中心（回転軸）として説明する。
【００２３】
送風機１において、ターボ遠心ファン１１の上側には上側ケース１２が設けられている。また、送風機１において、ターボ遠心ファン１１の下側には下側ケース１４が設けられている。上側ケース１２および下側ケース１４は、ターボ遠心ファン１１による空気流を整流する。上側ケース１２には、空気を吸入するための円形の穴である吸入口１３が形成されている。円形の吸入口１３の中心は、ターボ遠心ファン１１の回転中心（回転軸）に一致させられる。
【００２４】
図示せぬ電動機などによりターボ遠心ファン１１が、上面側から見て時計方向（図４中の矢印で示される回転方向Ｒ）に回転させられると、上側ケース１２の吸入口１３から空気が吸入され、吸入された空気は上側ケース１２と下側ケース１４との間から横方向に排出される。すなわち、送風機１は、羽根車であるターボ遠心ファン１１の回転運動により空気に運動エネルギーを与えるものであり、上側から空気を吸って、横向きに送風する。
【００２５】
ターボ遠心ファン１１は、鋼、アルミニウム合金若しくはマグネシウム合金などの金属、ポリプロピレンなどの汎用樹脂やポリアセタールなどのエンジニアリングプラスチックなどの樹脂、繊維強化プラスチックなど複合材料、セラミックス、またはこれらを組み合わせた材料により形成されている羽根車である。ターボ遠心ファン１１は、回転すると、ターボ遠心ファン１１の径方向（横方向）に空気が通り抜ける、いわゆる遠心ファンである。ターボ遠心ファン１１は、ファン基部２１およびブレード２２からなる。ファン基部２１は、ターボ遠心ファン１１の回転中心を中心とする円形状（円盤状）に形成されている。ファン基部２１の円形の上面および下面は、Ｙ軸およびＸ軸で規定される平面に平行であり、ファン基部２１の回転中心は、上面および下面に直交する。
【００２６】
ファン基部２１の上側の円形の面には、１０枚のブレード２２が設けられている。ブレード２２は、回転して空気に運動エネルギーを与える、いわゆる羽根である。
【００２７】
ここで、まず、ブレード２２の形状の概略を説明する。ブレード２２は、それぞれ、概ね矩形の板状に形成されている。ブレード２２の厚さ方向が、回転方向に交差し、ブレード２２の面の短手方向が、ファン基部２１の上側の面と交差し、ブレード２２の面の長手方向が、ファン基部２１の円形の面の周から回転軸側に延びるように、ブレード２２は、ファン基部２１の上側の円形の面に設けられている。ブレード２２の周側の端部のＹ軸方向およびＸ軸方向の位置は、ファン基部２１の周のＹ軸方向およびＸ軸方向の位置と一致する。すなわち、ブレード２２の周側の端部は、ファン基部２１の周からはみ出ない。
【００２８】
言い換えれば、ファン基部２１の上側の円形の面は、Ｙ軸およびＸ軸で規定される平面に平行であり、ブレード２２は、概ね放射状に、板状の面が回転方向に交差するように、ファン基部２１の上側の円形の面に設けられている。ターボ遠心ファン１１の上面の外縁の形状は、ファン基部２１の円形の面と概ね同じとなる。
【００２９】
このように、ターボ遠心ファン１１の外縁は、所定の高さの略円柱形状に形成されている。ファン基部２１の円形の面は、円柱形状の円形の底面に相当する。
【００３０】
より詳細には、ブレード２２は、羽根出口が回転方向と反対側に傾いている後向き羽根である。すなわち、ブレード２２は、円形の底面の中心である回転軸と周上の１点とを結ぶ輻に対して回転軸側から周に向かうに従い回転方向とは逆方向に曲がる。
【００３１】
以下、ターボ遠心ファン１１の形状をさらに詳細に説明する。図５は、送風機１の正面右側断面図である。図６は、ターボ遠心ファン１１の平面図である。図７は、ブレード２２を拡大して示す拡大平面図である。図８は、ターボ遠心ファン１１の斜視図である。
【００３２】
それぞれのブレード２２には、周側に後向き羽根部３１が形成され、回転軸側に屈曲部３２が形成されている。後向き羽根部３１は、羽根出口である周側が回転方向と反対側に傾いている形状とされている。後向き羽根部３１の高さ（Ｚ軸方向の長さ）は、一定である。
【００３３】
屈曲部３２は、後向き羽根部３１に対して回転軸側の部位である。屈曲部３２は、後向き羽根部３１に対して、回転軸側の端部が回転方向とは逆方向に位置するように屈曲交点Ｐｃから屈曲させられている。屈曲交点Ｐｃは、屈曲位置の一例であり、ターボ遠心ファン１１の円形の底面において周から回転軸に向かう方向の所定の位置である。好ましくは、回転軸から屈曲交点Ｐｃまでの半径Ｃｒ（距離）は、円形の吸入口１３の半径である吸入口半径Ｉｒより短くされる。すなわち、屈曲位置である屈曲交点Ｐｃは、送風機１の上側ケース１２の吸入口１３の端部より回転軸側に配置されている。
【００３４】
図６および図７に示されるように、屈曲部３２は、後向き羽根部３１に対して屈曲交点Ｐｃから、所定の角度である屈曲角αで屈曲させられる。屈曲角αは、５度乃至２５度のうちいずれかの角度が好ましい。
【００３５】
言い換えれば、屈曲部３２は、回転軸に対して放射状となるように、屈曲角αで屈曲させられる。すなわち、屈曲部３２の回転軸側の端部と屈曲交点Ｐｃとを結ぶ直線が回転軸により近づく向きに、屈曲部３２は、屈曲交点Ｐｃから後向き羽根部３１に対して屈曲角αで屈曲させられる。屈曲部３２は、周側と回転軸とを結ぶ方向、すなわち、Ｙ軸およびＸ軸で規定される平面上の方向において、直線状に形成することができる。
【００３６】
さらに、図５に示されるように、屈曲部３２の高さは、屈曲交点Ｐｃから回転軸側に向かうに従い、複数の曲線が接続されるように段階的に低くなる。円弧形状部５１は、屈曲交点Ｐｃから屈曲部３２の高さが低くなるように、凹状の円弧形状に形成されている。また、円弧形状部５２は、屈曲交点Ｐｃから回転軸側の所定の位置である段階接続位置Ｐｓから、さらに屈曲部３２の高さが段階的に低くなるように、凹状の円弧形状に形成されている。段階接続位置Ｐｓにおいて、円弧形状部５１および円弧形状部５２は、滑らかに接続されている。
【００３７】
このように、屈曲部３２の高さは、曲線である２つの円弧が接続されるように２段階に低くなり、その円弧は滑らかに接続されている。
【００３８】
また、円弧形状部５２の曲率半径は、円弧形状部５１の曲率半径より小さい。言い換えれば、円弧形状部５２の曲率は、円弧形状部５１の曲率に比較して大きい。すなわち、回転軸側の円弧である円弧形状部５２の曲率は、周側の円弧である円弧形状部５１の曲率に比較して大きい。
【００３９】
以上、図８に示されるように、ブレード２２のそれぞれに、ブレード２２の周側の部位に対してブレード２２の回転軸側の部位であり、ターボ遠心ファン１１の円形の底面において周から回転軸に向かう方向の所定の位置である屈曲交点Ｐｃから、回転軸側の端部が回転方向とは逆方向に位置するように所定の角度で屈曲させられている部位である屈曲部３２が設けられる。屈曲部３２の高さは、屈曲交点Ｐｃから回転軸側に向かうに従い、複数の曲線が接続されるように段階的に低くなる。
【００４０】
次に、ターボ遠心ファン１１における空気流を説明する。図９は、空気流を示すターボ遠心ファン１１の平面図である。図１０は、空気流を示す送風機１の正面断面図である。図９および図１０において、点線の矢印は、空気流を示す。
【００４１】
回転軸側の端部が回転方向とは逆方向に位置するように所定の角度で屈曲交点Ｐｃから屈曲させられている屈曲部３２が設けられたので、図９（Ａ）に示されるように、ブレード２２間に流れる空気流の方向を、ブレード２２面に一致するように誘導することができる。すなわち、図９（Ｂ）に示されるように、屈曲部３２の方向に応じた向きのベクトルＡＨとターボ遠心ファン１１の回転方向に応じた向きのベクトルＢＨとを合成したベクトルＣＨが、空気流に加わる力の向きを示し、ブレード２２の面のうち、プレッシャー側の面（回転方向側の面）とは反対側の面である負圧面（回転方向側の面の裏面）を向くので、負圧面に十分な圧力がかかり、２つのブレード２２の後向き羽根部３１の間に流れる空気流は、後向き羽根部３１の面に沿って流れる。これにより、ブレード２２の面のうち、プレッシャー側の面（回転方向側の面）に空気流が偏ってしまうことを低減することができ、ブレード２２の間（間流路）に生じる空気流の逆流を抑制することができる。また、ブレード２２の負圧面側に渦流の発生を抑制することができる。
【００４２】
また、屈曲部３２の高さが、屈曲交点Ｐｃから回転軸側に向かうに従い、複数の曲線が接続されるように段階的に低くなるようにしたので、図１０（Ａ）に示されるように、吸入口１３から吸入された空気を、徐々に、かつ段階的にブレード２２間に流入させることができる。
【００４３】
すなわち、図１０（Ｂ）に示されるように、後向き羽根部３１側に設けられている、曲率のより小さい円弧形状部５１において、空気流の吸い込み方向に応じた向きのベクトルＡＶと遠心力の方向に応じた向きのベクトルＢＶとを合成したベクトルＣＶで示される向きの力が空気流にかかり、吸い込まれる空気流が上下方向から横方向に曲げられて、吸い込まれる空気流のＺ軸方向の圧力が下がる。
【００４４】
回転軸から円弧形状部５１までの距離は、回転軸から円弧形状部５２までの距離より長いので、円弧形状部５２における場合に比較して、円弧形状部５１において、遠心力が大きくなる。従って、吸入された空気の上下方向の流れがより強く横方向に曲げられる。
【００４５】
この場合、円弧形状部５１の曲率は、円弧形状部５２の曲率より小さいので、上下方向の位置の変化に応じた、吸入された空気の上下方向の流れを横方向に曲げる力の変化は、円弧形状部５２におけるものよりも、小さくなる。
【００４６】
さらに、回転軸側に設けられている、曲率のより大きい円弧形状部５２において、空気流の吸い込み方向に応じた向きのベクトルＡ’Ｖと遠心力の方向に応じた向きのベクトルＢ’Ｖとを合成したベクトルＣ’Ｖで示される向きの力が空気流にかかり、吸い込まれる空気流が上下方向から横方向に曲げられて、吸い込まれる空気流のＺ軸方向の圧力がさらに下がる。
【００４７】
回転軸から円弧形状部５２までの距離は、回転軸から円弧形状部５１までの距離より短いので、円弧形状部５１における場合に比較して、円弧形状部５２において、遠心力は小さくなる。従って、吸入された空気の上下方向の流れを横方向に曲げる力は小さくなる。
【００４８】
この場合、円弧形状部５２の曲率は、円弧形状部５１の曲率より小さいので、上下方向の位置の変化に応じた、吸入された空気の上下方向の流れを横方向に曲げる力の変化は、円弧形状部５１におけるものよりも、大きくなる。すなわち、ファン基部２１に近い位置での空気流の流れの曲がりの半径を大きくして、ファン基部２１に近い位置での上下方向の圧力の変化をより小さくすることができる。言い換えれば、曲げられる空気流の曲がりの頂点付近の圧力分布をより均一にできる。
【００４９】
このように、吸入口１３から吸入された空気の上下方向の圧力の分布を、円弧形状部５１の曲率および円弧形状部５２の曲率によって、容易に調整することができる。
【００５０】
吸入口１３の径側（外側）、すなわち吸入口１３の位置のうち、回転軸から離れた位置では、空気流の向きをより強く曲げて、吸入口１３の回転軸側（内側）、すなわち吸入口１３の位置のうち、回転軸により近い位置では、空気流の向きを弱く曲げることができる。回転軸により近い位置で空気流の向きが急激に曲がらないので、回転軸から離れた位置での空気流に悪影響を及ぼさない。
【００５１】
これにより、ブレード２２間の上下方向の圧力分布がより均一になる。従って、ブレード２２の内周側の端部（回転軸側の端部）での渦流の発生を抑制することができる。すなわち、空気の入口において、渦流の発生を抑制することができる。
【００５２】
図１１は、屈曲角αに対する騒音の大きさを示す図である。図１１において、丸は、低速の回転速度のおける騒音の大きさを示し、四角は、中速の回転速度のおける騒音の大きさを示し、三角は、高速の回転速度のおける騒音の大きさを示す。図１１に示されるように、屈曲角αが、５度乃至２５度のうちいずれかの場合、騒音がより小さくなる。
【００５３】
図１２は、回転速度に対する騒音の大きさを示す図である。図１２において、丸は、送風機１の騒音の大きさを示し、三角は、従来のターボファン１０１の騒音の大きさを示す。図１２に示されるように、送風機１の騒音の大きさは、回転速度を遅くしても速くしても、従来のターボファン１０１の騒音に比較して、小さくなる。
【００５４】
以上のように、ブレード２２のそれぞれに、ブレード２２の周側の部位に対してブレード２２の回転軸側の部位であり、円形の底面において周から回転軸に向かう方向の所定の位置である屈曲交点Ｐｃから、回転軸側の端部が回転方向とは逆方向に位置するように所定の角度で屈曲させられている屈曲部３２を設け、屈曲部３２の高さが、屈曲位置から回転軸側に向かうに従い、複数の曲線が接続されるように段階的に低くなるようにしたので、ブレード２２の面のうち、プレッシャー側の面（回転方向側の面）に空気流が偏ってしまうことを低減することで、ブレード２２の間（間流路）に生じる空気流の逆流を抑制することができ、また、ブレード２２間の上下方向の圧力分布をより均一して、ブレード２２の内周側の端部（回転軸側の端部）での渦流の発生を抑制することができる。これにより、送風の効率をより高くしつつ、騒音をより小さくできる。
【００５５】
屈曲部３２を、５度乃至２５度のうちいずれかの角度で屈曲させることができる。この場合、騒音をより小さくできるようになる。
【００５６】
屈曲部３２の高さを、曲線である２つの円弧が接続されるように２段階に低くし、円弧を滑らかに接続することができる。このようにすることで、吸い込まれた空気を徐々にかつ段階的にブレード間に流入させるので、ブレードの内周側の高さ方向の圧力分布が均一になり、渦流の発生を抑制することができ、送風の効率をより高くしつつ、騒音をより小さくできるようになる。
【００５７】
また、回転軸側の円弧の曲率を、周側の円弧の曲率に比較して大きくすることができる。この場合、曲げられる空気流の曲がりの頂点付近の圧力分布がより均一になり、送風の効率をより高くしつつ、騒音をより小さくできるようになる。
【００５８】
さらに、屈曲交点Ｐｃを、送風機１の上側ケース１２の吸入口１３の端部より回転軸側に配置することができる。このようにすることで、上側ケース１２とターボ遠心ファン１１との隙間が大きくても、上側ケース１２とターボ遠心ファン１１との間に空気流の乱れが発生しにくい。したがって、ターボ遠心ファン１１の加工の精度の管理が容易になり、より安価に製造することができるようになる。すなわち、より安価に製造でき、かつ、送風の効率をより高くしつつ、騒音をより小さくできるようになる。
【００５９】
なお、ターボ遠心ファン１１は、送風機１に設けられると説明したが、送風機１に限らず、空気調和機、集塵装置、換気扇、またはサーキュレーターなどの送風する装置（気体を移送する装置）に設けることができる。
【００６０】
また、ファン基部２１およびブレード２２を一体に形成しても、それぞれ別個に形成して組み立てるようにしてもよい。
【００６１】
なお、ブレード２２の断面形状は、板状であっても翼断面形状であってもよい。
【００６２】
また、ターボ遠心ファン１１には１０枚のブレード２２が設けられていると説明したが、ブレード２２の枚数は任意とすることができる。
【００６３】
なお、ターボ遠心ファン１１は、空気を吸って、送風すると説明したが、窒息ガスや気体状の燃料などの各種のガス、すなわち、所望の気体を移送することができる。
【００６４】
また、屈曲部３２の高さは、回転軸側に向かうに従い、曲線である２つの円弧が接続されるように２段階に低くなり、その円弧は滑らかに接続されていると説明したが、円弧に限らず、長円若しくは楕円の円弧状、放物線状、双曲線状など各種の曲線状とすることができる。さらに、また、屈曲部３２の高さは、凸状の曲線が接続されるように段階的に低くなるようにしてもよい。
【００６５】
なお、本考案の実施の形態は、上述した実施の形態に限定されるものではなく、本考案の要旨を逸脱しない範囲において種々の変更が可能である。
【符号の説明】
【００６６】
１  送風機，１１  ターボ遠心ファン，１２  上側ケース，１３  吸入口，１４  下側ケース，２１  ファン基部，２２  ブレード，３１  後向き羽根部，３２  屈曲部，５１および５２  円弧形状部
【図１】
0003193556.tif 000003
【図２】
0003193556.tif 000004
【図３】
0003193556.tif 000005
【図４】
0003193556.tif 000006
【図５】
0003193556.tif 000007
【図６】
0003193556.tif 000008
【図７】
0003193556.tif 000009
【図８】
0003193556.tif 000010
【図９】
0003193556.tif 000011
【図１０】
0003193556.tif 000012
【図１１】
0003193556.tif 000013
【図１２】
0003193556.tif 000014